(57)【要約】【課題】熱空気による取付壁の黒ずみまたは変色を防止すること。【解決手段】熱空気用格子（３）と取付壁（４）との間で、エア・デフレクタ（２）が電気暖房器（１）に取り付けられている。【選択図】図１
2008051492.tif 000002
【特許請求の範囲】
【請求項１】
熱空気用格子を有する電気暖房器において、
前記熱空気用格子（３）と取付壁（４）との間で、エア・デフレクタ（２）が前記電気暖房器（１）に取り付けられていることを特徴とする電気暖房器。
【請求項２】
前記熱空気用格子（３）は、前記電気暖房器（１）の内部エアダクトに接続されていることを特徴とする請求項１に記載の電気暖房器。
【請求項３】
前記内部エアダクトは、前記電気暖房器（１）の二重壁ハウジング（６）によって形成されていることを特徴とする請求項２に記載の電気暖房器。
【請求項４】
前記二重壁ハウジング（６）の内壁が、少なくとも部分的に、前記電気暖房器の、蓄熱式電気暖房器（１）の断熱部材を有し、少なくとも、前記二重壁ハウジング（６）の外壁（５）が、内壁からの間隔を有し、その結果、熱空気が流れることができることを特徴とする請求項３に記載の電気暖房器。
【請求項５】
前記エア・デフレクタ（２）は、少なくとも、外壁（５）、後壁（１１）、固定用ブラケット（７）、後壁用レール（１２）または他の部材に固定されていることを特徴とする請求項１ないし４のいずれか１に記載の電気暖房器。
【請求項６】
前記エア・デフレクタ（２）は、ほぼ垂直方向に延びるように設けられていることを特徴とする請求項１ないし５のいずれか１に記載の電気暖房器。
【請求項７】
前記エア・デフレクタ（２）は、前記電気暖房器（１）の全幅に亘ってまたは前記熱空気用格子（３）の全幅に亘って延びていることを特徴とする請求項１ないし６のいずれか１に記載の電気暖房器。
【請求項８】
前記エア・デフレクタ（２）は、前記電気暖房器（１）の幅にほぼ対応する長さと、約２ないし１０ｃｍの高さとを有することを特徴とする請求項１ないし７のいずれか１に記載の電気暖房器。
【請求項９】
前記熱空気用格子（３）は、前記取付壁（４）にほぼ平行に、かつこの取付壁（４）の付近にある後方区域に取り付けられていることを特徴とする請求項１ないし８のいずれか１に記載の電気暖房器。
【請求項１０】
前記熱空気用格子（３）は、後壁（１１）の構成要素であることを特徴とする請求項１ないし９のいずれか１に記載の電気暖房器。
【請求項１１】
前記電気暖房器（１）の固定用ブラケット（７）が、空気用格子（８）によって覆われていることを特徴とする請求項１ないし１０のいずれか１に記載の電気暖房器。
【発明の詳細な説明】
【技術分野】
【０００１】
本発明は、電気暖房器、特に蓄熱式電気暖房器に関する。このような複数の蓄熱式電気暖房器は、蓄熱レンガからなる約７００℃に加熱可能な蓄熱コアを有する。この蓄熱コアは、断熱部材によって囲まれている。断熱部材は、同様に、ハウジングによって囲まれている。蓄積された熱エネルギは、電気暖房器の表面を介してまたは空気を介して室へ放出される。ハウジングの熱い表面を回避するためには、エアダクトを有する二重外被を具備する複数の蓄熱式電気暖房器が知られている。
【背景技術】
【０００２】
特許文献１からは、排気口を有する蓄熱式電気暖房器が公知である。温度調節装置の換気を改善するために、対流通路の上方の３分の１の個所にエア・デフレクタが設けられている。このエア・デフレクタは電気暖房器の内部にあり、蓄熱式電気暖房器の内部気流を導く。
【０００３】
特許文献２からは、蓄熱コアを囲むハウジングを有する蓄熱式電気暖房器が公知である。この蓄熱式電気暖房器では、上方の後壁の区域に熱空気排出格子が設けらており、この熱空気排出格子からは、熱空気が流出する。
【０００４】
特許文献３は、ブロアーを有する蓄熱式電気暖房器を記載する。この蓄熱式電気暖房器では、温度を自動的に調節するための制御可能なエア・デフレクタが設けられている。
【特許文献１】DE 203 04 624 U1
【特許文献２】DE 20 2005 003 331 U1
【特許文献３】DE 31 06 375 A1
【発明の開示】
【発明が解決しようとする課題】
【０００５】
本発明の課題は、熱空気による取付壁の黒ずみまたは変色を防止することである。
【課題を解決するための手段】
【０００６】
上記課題は、熱空気用格子と取付壁との間で、エア・デフレクタが電気暖房器に取り付けられていることを特徴とする電気暖房器によって解決される。
【０００７】
本発明は、空気流を蓄熱式電気暖房器の外部区域において導くエア・デフレクタを設けるという思想に基づいている。従って、エア・デフレクタが、熱空気用格子と取付壁との間に取り付けられていることは好ましい。熱空気用格子が、電気暖房器の内部エアダクトに接続されていることは好ましく、この内部エアダクトから熱空気が放出する。エア・デフレクタによって、熱空気が、直接には取付壁の方へ導かれない。熱空気用格子が取付壁の方へ開いていることは好ましい。その目的は、熱空気用格子が、電気暖房器の観察の際には、前からは見ることができないためである。
【０００８】
本発明の複数の他の実施の形態は、複数の従属請求項の主題である。
【発明を実施するための最良の形態】
【０００９】
以下、図面を参照して本発明の複数の実施の形態を詳述する。電気暖房器１は床９上に設置されており、固定用ブラケット７によって、取付壁４に固定されている。エア・デフレクタ２は、取付壁４と熱空気用格子３との間で好ましくは垂直方向上方に延びているように、電気暖房器に固定されている。熱空気用格子３から出る室内空気１０は、エア・デフレクタ２に当たり、垂直方向上方に導かれる。それ故に、室内空気は取付壁４の方へ流れない。エア・デフレクタ２が、外壁５、後壁１１、固定用ブラケット７、後壁用レール１２または他の部材に固定されていることは好ましい。固定用ブラケット７が上方に空気用格子８を有し、空気用格子（８）によって覆われていることは好ましい。電気暖房器１は二重壁ハウジング６によって囲繞されている。
【００１０】
好ましくは、前記熱空気用格子（３）は、前記電気暖房器（１）の内部エアダクトに接続されている。この内部エアダクトは、前記二重壁ハウジング６によって形成されている。二重壁ハウジング６の内壁が、少なくとも部分的に、前記電気暖房器の、蓄熱式電気暖房器１の断熱部材を有し、少なくとも、前記二重壁ハウジング６の外壁５が、内壁からの間隔を有し、その結果、内壁と外壁との間を熱空気が流れることができる。好ましくは、前記エア・デフレクタ２は、前記電気暖房器１の全幅に亘ってまたは前記熱空気用格子３の全幅に亘って延びている。また、前記エア・デフレクタ２は、前記電気暖房器１の幅にほぼ対応する長さと、約２ないし１０ｃｍの高さとを有することが好ましい。好ましくは、前記熱空気用格子（３）は、前記取付壁（４）にほぼ平行に、かつこの取付壁４の付近にある後方区域に取り付けられている。好ましくは、前記熱空気用格子３は、後壁１１の一部もしくはほぼ全部を構成している。
【図面の簡単な説明】
【００１１】
【図１】エア・デフレクタおよび取付壁を有する電気暖房器の側面図を示す。
【図２】エア・デフレクタを有する電気暖房器の、特に側面図および背面図を示す。
【符号の説明】
【００１２】
１  電気暖房器
２  エア・デフレクタ
３  熱空気用格子
４  取付壁。
【図１】
2008051492.tif 000003
【図２】
2008051492.tif 000004